(57)【要約】【課題】切り替え前の撮像モードの影響によって発生し得るアーチファクトの影響を低減すること。【解決手段】複数の撮像モードで動作可能であり、放射線の照射により蓄積された電荷に基づく放射線画像を、複数の撮像モードのうちいずれか一つの撮像モードから切り替えられた撮像モードに基づいて取得する放射線検出部を有する放射線撮像装置は、切り替え前の撮像モードと、当該撮像モードの終了から切り替えられた撮像モードによる撮像開始までの待機時間との組み合わせに対応するオフセット画像を取得する画像取得部と、取得されたオフセット画像を用いて放射線画像のオフセット成分を補正するオフセット補正部と、を備える。【選択図】  図１
2018202043.tif 000002
【特許請求の範囲】
【請求項１】
複数の撮像モードで動作可能であり、放射線の照射により蓄積された電荷に基づく放射線画像を、前記複数の撮像モードのうちいずれか一つの撮像モードから切り替えられた撮像モードに基づいて取得する放射線検出手段を有する放射線撮像装置であって、
切り替え前の撮像モードと、当該撮像モードの終了から前記切り替えられた撮像モードによる撮像開始までの待機時間との組み合わせに対応するオフセット画像を取得する画像取得手段と、
前記取得されたオフセット画像を用いて前記放射線画像のオフセット成分を補正するオフセット補正手段と、
を備えることを特徴とする放射線撮像装置。
【請求項２】
前記画像取得手段は、操作手段からの第１の入力に基づいて取得される撮像モードの切り替えタイミングと、前記操作手段からの第２の入力に基づいて取得される前記切り替えられた撮像モードによる撮像開始のタイミングと、に基づいて前記待機時間を取得することを特徴とする請求項１に記載の放射線撮像装置。
【請求項３】
前記切り替え前の撮像モードと、前記待機時間との組み合せと、前記組み合せに対応するオフセット画像の識別情報とを、対応付けたテーブルを記憶する記憶手段を更に備えることを特徴とする請求項１または２に記載の放射線撮像装置。
【請求項４】
前記記憶手段には、前記オフセット画像の識別情報に対応するオフセット画像が記憶されていることを特徴とする請求項３に記載の放射線撮像装置。
【請求項５】
前記画像取得手段は、前記テーブルの識別情報に基づいて、前記切り替え前の撮像モードと、前記待機時間との組み合せに対応する前記オフセット画像を取得することを特徴とする請求項３または４に記載の放射線撮像装置。
【請求項６】
前記画像取得手段は、前記第１の入力および前記第２の入力に基づいて取得される異なる待機時間に対応して、異なるオフセット画像を取得することを特徴とする請求項２に記載の放射線撮像装置。
【請求項７】
前記画像取得手段は、切り替え前の異なる撮像モードに対応して、異なるオフセット画像を取得することを特徴とする請求項１乃至６のいずれか１項に記載の放射線撮像装置。
【請求項８】
前記放射線検出手段の駆動を制御する駆動制御手段を更に備え、
前記駆動制御手段は、前記待機時間における撮像準備駆動制御により、前記放射線検出手段に対して撮像時における電圧を印加しつつ、周期的に電荷の読み出しを行い、前記放射線検出手段の各画素に蓄積される暗電荷のリセットを行うことを特徴とする請求項１乃至７のいずれか１項に記載の放射線撮像装置。
【請求項９】
前記切り替えられた撮像モードによる放射線画像の撮像後、前記放射線検出手段は、放射線が非照射の状態で蓄積された電荷に基づく画像を出力し、
前記画像取得手段は、前記放射線検出手段から出力される前記画像を、撮像後のオフセット画像として取得することを特徴とする請求項１乃至８のいずれか１項に記載の放射線撮像装置。
【請求項１０】
前記オフセット補正手段は、前記切り替え前の撮像モードと前記待機時間との組み合わせに対応するオフセット画像と、前記撮像後のオフセット画像と、を用いて前記放射線画像のオフセット成分を補正することを特徴とする請求項９に記載の放射線撮像装置。
【請求項１１】
放射線撮像装置の状態を示す情報に基づいて、当該放射線撮像装置の使用状態を判断する状態監視手段を更に備え、
前記画像取得手段は、前記状態監視手段の判断結果に基づいて、操作手段からの第１の入力および第２の入力に基づく待機時間と、前記切り替え前の撮像モードとの組み合わせに対応するオフセット画像を取得することを特徴とする請求項１乃至１０のいずれか１項に記載の放射線撮像装置。
【請求項１２】
請求項１乃至１１のいずれか１項に記載の放射線撮像装置を有することを特徴とする放射線撮像システム。
【請求項１３】
複数の撮像モードで動作可能であり、放射線の照射により蓄積された電荷に基づく放射線画像を、前記複数の撮像モードのうちいずれか一つの撮像モードから切り替えられた撮像モードに基づいて取得する放射線検出手段を有する放射線撮像装置の放射線撮像方法であって、
切り替え前の撮像モードと、当該撮像モードの終了から前記切り替えられた撮像モードによる撮像開始までの待機時間との組み合わせに対応するオフセット画像を取得する工程と、
前記取得された前記オフセット画像を用いて前記放射線画像のオフセット成分を補正する工程と、
を有することを特徴とする放射線撮像方法。
【請求項１４】
コンピュータに、請求項１３に記載の放射線撮像方法の各工程を実行させるためのプログラム。
【発明の詳細な説明】
【技術分野】
【０００１】
本発明は、放射線撮像装置、放射線撮像システム、放射線撮像方法およびプログラムに関する。
【背景技術】
【０００２】
放射線発生装置から放射線を被写体に照射し、被写体を透過した放射線強度分布をデジタル化した画像データに画像処理を施すことにより放射線画像を得る放射線撮像装置が製品化されている。
【０００３】
放射線撮像装置では、放射線が照射されていない状態であっても、ある程度の信号電荷（暗電荷）が発生してしまう。暗電荷が放射線照射による信号電荷に重畳することによる画質低下を防ぐため、放射線が照射された状態の画像（以下、放射線画像という）と、放射線が照射されない状態の画像（以下、オフセット画像という）との差分の成分（以下、オフセット成分という）を補正することが行われる。オフセット画像は、放射線撮像装置の使用環境や通電時間、撮像モードの変更などに応じて変化し得るため、使用環境等に対応したオフセット画像を随時更新しつつ保持していく必要がある。透視や静止画の撮像など様々な撮像モードに対応している放射線撮像装置では、撮像モードの変更（切り替え）によって、画像サイズやフレームレート、アンプのゲインなどの違いに応じたオフセット成分の補正が必要になる。
【０００４】
特許文献１では、撮影モードから透視モードへ切り替えて放射線画像を得る際に、撮影モードから透視モードへの移行期間に撮影モードのオフセットデータを段階的に制御する構成が開示されている。
【先行技術文献】
【特許文献】
【０００５】
【特許文献１】特開２００４−１９４７０２号公報
【発明の概要】
【発明が解決しようとする課題】
【０００６】
しかしながら特許文献１の構成では、撮像モードの変更後の時間経過に応じたオフセット成分を補正することはできるが、切り替え前の撮像モードの影響によって発生するアーチファクトが残存し得る。
【０００７】
本発明は、上述した課題に鑑み、切り替え前の撮像モードを加味したオフセット画像を用いてオフセット補正を行うことにより、切り替え前の撮像モードの影響によって発生し得るアーチファクトの影響を低減することが可能な放射線撮像技術の提供を目的とする。
【課題を解決するための手段】
【０００８】
本発明の一態様による放射線撮像装置は、複数の撮像モードで動作可能であり、放射線の照射により蓄積された電荷に基づく放射線画像を、前記複数の撮像モードのうちいずれか一つの撮像モードから切り替えられた撮像モードに基づいて取得する放射線検出手段を有する放射線撮像装置であって、
切り替え前の撮像モードと、当該撮像モードの終了から前記切り替えられた撮像モードによる撮像開始までの待機時間との組み合わせに対応するオフセット画像を取得する画像取得手段と、
前記取得されたオフセット画像を用いて前記放射線画像のオフセット成分を補正するオフセット補正手段と、を備えることを特徴とする。
【発明の効果】
【０００９】
本発明によれば、切り替え前の撮像モードの影響によって発生し得るアーチファクトの影響を低減することが可能になる。
【図面の簡単な説明】
【００１０】
【図１】実施形態における放射線撮像システムの構成例を示す図。
【図２】放射線撮像装置内の放射線検出部の構成例を示す図。
【図３】放射線画像撮像装置でのオフセット補正を概略的に説明する図。
【図４】放射線画像撮像装置の使用状態のテーブル例を示す図。
【図５Ａ】実施形態における撮像動作を例示的に説明する図。
【図５Ｂ】実施形態における撮像動作を例示的に説明する図。
【図６】オフセットテーブルの構成を例示する図。
【発明を実施するための形態】
【００１１】
以下、図面を参照して、本発明の実施形態を例示的に詳しく説明する。ただし、この実施形態に記載されている構成要素はあくまで例示であり、本発明の技術的範囲は、以下の実施形態によって限定されるわけではない。
【００１２】
（放射線撮像システムの構成例）
図１は実施形態に係る放射線撮像システムの構成例を示す図である。放射線撮像システムは、放射線検出部２００を有する放射線撮像装置１００と、放射線を照射する放射線源３０１を制御する放射線発生装置３００と、放射線撮像装置１００および放射線発生装置３００を制御する制御装置４００とを有する。
【００１３】
制御装置４００は、例えば、ＬＡＮ（Local Area Network）等のネットワーク５００に接続されている。また、ネットワーク５００には放射線情報システムであるＲＩＳ（Radiology Information System）または病院情報システムであるＨＩＳ（Hospital Information System）が接続されている（ＨＩＳ/ＲＩＳ５０１）。制御装置４００とＨＩＳ/ＲＩＳ５０１とは相互通信可能であり、放射線画像の撮像オーダーや、例えば、患者情報を含んだ撮像情報、及び撮像した画像データのやりとりを可能とする。
【００１４】
放射線撮像装置１００は、放射線を検出し画像データを生成する放射線検出部２００、放射線撮像装置１００による撮像や通信動作を制御する制御部１０１、および電源部１１６を有する。ここで、制御部１０１は、以下の機能構成を有する。駆動制御部１０２は、放射線検出部２００の駆動や放射線画像およびオフセット画像の取得を制御する。画像処理部１０７は、放射線検出部２００から取得した画像に対して画像処理を行う。オフセット画像収集制御部１０９は、オフセット画像を取得するタイミングの制御を行う。オフセット画像収集制御部１０９（収集制御部）は、例えば、使用状態監視部１１４による放射線撮像装置１００の使用状態の判断結果に基づいて、放射線画像のオフセット成分を補正するオフセット画像の取得タイミングを設定することが可能である。記憶部１１０は、取得された画像データ（放射線画像、オフセット画像）を記憶する。
【００１５】
通信制御部１１３は、制御装置４００との通信を制御する。使用状態監視部１１４は、放射線撮像システム（放射線撮像装置）の使用状態を監視する。内部時計１１５（計時部）は、撮像時刻や、撮像モードが切り替えられた時刻からの経過時間、オフセット画像の取得（収集）を定期的に行うための時間情報などを取得する。
【００１６】
制御部１０１は、例えば、記憶部に保存されているプログラム等を読み出し、これに基づいて、放射線撮像装置全体の制御を行うことが可能である。または、ＡＳＩＣ等による制御信号発生回路により装置制御を行ってもよいし、プログラムと制御回路との両方により装置全体の制御が実現されてもよい。
【００１７】
制御装置４００は、以下の機能構成を有する。撮像制御部４０２は、放射線撮像装置１００の画像取得タイミングや撮像条件などの制御を行う。発生制御部４０３は、放射線発生装置３００の放射線の照射タイミングや照射条件などの制御を行う。通信制御部４０１は、放射線撮像装置１００との通信や、放射線発生装置３００との通信、およびネットワーク５００との通信を制御する。放射線撮像アプリケーション４０４は、放射線撮像装置１００からの撮像画像の収集や表示、撮像オーダーの受付や撮像情報登録などの処理を制御するアプリケーションである。表示部４０６は、撮像画像や撮像情報を表示する。操作ＵＩ４０７は、放射線撮像システムを操作するためのユーザインタフェースとして機能する。
【００１８】
ここで、制御装置４００と放射線撮像装置１００との間、および制御装置４００と放射線発生装置３００との間は、ＲＳ２３２ＣやＵＳＢ、イーサネット（登録商標）などの規格を用いたケーブル接続による有線通信、専用信号線、および無線通信のいずれか、または、これらの組合せにより情報通信を行うことが可能である。制御装置４００と放射線撮像装置１００との間では、例えば、画像データ、画像取得条件設定や装置状態取得などの制御通信、および画像取得タイミングや放射線照射可能タイミングの通知など同期信号のやりとりを行うことが可能である。また、制御装置４００と放射線発生装置３００との間では、例えば、放射線照射条件の設定、装置状態取得、実際の照射情報などの制御通信、および放射線照射タイミングの通知などの同期信号のやりとりを行うことが可能である。
【００１９】
（放射線検出部２００の構成例）
また、図２は、放射線検出部２００の構成例を示す図である。放射線検出部２００は、フレームレートの異なる複数の撮像モードで動作可能であり、放射線の照射により蓄積された電荷に基づく放射線画像を、複数の撮像モードのうちいずれか一つの撮像モードから切り替えられた撮像モードに基づいて取得することが可能である。放射線検出部２００は、複数の行および複数の列を構成するように２次元アレイ状に配列された複数の画素からなるセンサアレイ２０４を有する。センサアレイ上の各画素２０７は、例えば、ＴＦＴのようなスイッチ素子２０８および光電変換素子２０９から構成され、各画素２０７上には例えば蛍光体が設けられて形成される。
【００２０】
この場合、放射線検出部２００に入射した放射線は蛍光体で可視光に変換され、変換された可視光が各画素の光電変換素子２０９に入射し、各光電変換素子２０９において、可視光に応じた電荷が生成される。尚、本実施形態では、上述した蛍光体及び光電変換素子は入射した放射線を電荷に変換する変換素子を構成するものとする。ただし、例えば、蛍光体を設けずに、入射した放射線を直接電荷に変換する、いわゆる直接変換型の変換素子を構成する形態であってもよい。スイッチ素子２０８（ＴＦＴ）のＯＮとＯＦＦの切り替えにより、電荷の蓄積と電荷の読み出しを実行することにより、放射線画像を取得することができるものである。
【００２１】
放射線検出部２００の２次元センサアレイ上のある行上の画素は、ドライブ回路２０１（駆動部）により駆動線２１１にスイッチ素子２０８（ＴＦＴ）のＯＮ電圧が印加されることで、行上の各画素のＴＦＴがＯＮになり、電荷がそれぞれの信号線２１０を通してサンプルホールド回路２０２（保持部）に保持される。その後、保持された画素出力の電荷はマルチプレクサ２０３（出力制御部）を介して順次読出され、アンプ２０５（増幅部）により増幅された後、Ａ／Ｄ変換器２０６（変換部）によりデジタル値の画像データに変換される。
【００２２】
また、電荷の読み出しが終了した行は、ドライブ回路２０１により駆動線２１１にＴＦＴのＯＦＦ電圧が印加されることにより、行上の各画素は電荷の蓄積に戻る。このように、ドライブ回路２０１がセンサアレイ上の各行を順次駆動して走査を行い、最終的に全ての画素出力の電荷がデジタル値に変換される。これにより放射線画像データを読み出すことができる。これらの放射線検出部２００の駆動、読出し動作等の制御は、駆動制御部１０２により行われる。デジタル値に変換された画像データは、図１における記憶部１１０に格納される。
【００２３】
駆動制御部１０２は、複数の制御を切り替え可能に構成されている。すなわち、駆動制御部１０２は、放射線撮像が可能な状態に準備する撮像準備駆動制御１０３、待機時の駆動状態を制御する待機駆動制御１０４、放射線画像を取得する放射線画像取得制御１０５、オフセット画像を取得するオフセット画像取得制御１０６、を切り替えて制御できるように構成されている。駆動制御部１０２は、オフセット画像取得制御１０６を実行することにより、放射線検出部２００における切り替え前の撮像モード（前駆動モード）と、当該撮像モードの終了から切り替えられた撮像モードによる撮像開始までの時間（待機時間）との組み合わせに対応するオフセット画像を取得する画像取得部として機能する。
【００２４】
撮像準備駆動制御１０３は、放射線検出部２００に対して撮像時と同様の電圧を印加しつつ、周期的に電荷の読み出しを行い、各画素に蓄積される暗電荷のリセットを行う制御である。この際に読み出された電荷は画像データとしては扱わず、記憶部１１０に保持しなくてもよい。
【００２５】
放射線画像取得制御１０５は、撮像準備駆動制御１０３と同様の駆動を行いながら、各画素の蓄積中に放射線を照射させる制御である。このとき、放射線検出部２００におけるスイッチ素子２０８（ＴＦＴ）のＯＮとＯＦＦの切り替えにより、電荷の蓄積と電荷の読み出しが実行され、読み出された電荷はアンプ２０５（増幅部）により増幅された後、Ａ／Ｄ変換器２０６（変換部）によりデジタル値の画像データに変換され、放射線検出部２００から出力される。駆動制御部１０２は、放射線画像取得制御１０５の実行により、放射線検出部２００から出力される画像データを放射線画像１１１として記憶部１１０に記憶する。駆動制御部１０２は、放射線画像取得制御１０５を連続的に実行することで、動画としての撮像が可能である。また、駆動制御部１０２は、放射線画像取得制御１０５を単一回実行（非連続的に実行）することで、静止画としての撮像が可能である。
【００２６】
駆動制御部１０２は、オフセット画像取得制御１０６についても撮像準備駆動制御１０３と同様に、所定のタイミングで制御を実行することにより、放射線を照射しない状態で放射線検出部２００から出力された画像データをオフセット画像１１２として記憶部１１０に記憶する。記憶部１１０は、駆動制御部１０２によるオフセット画像取得制御１０６の実行により、取得された複数のオフセット画像を記憶することが可能である。
【００２７】
（オフセット補正の概略説明）
図３は、オフセット補正を概略的に説明する図である。放射線撮像装置１００の放射線検出部２００は、複数の撮像モードで動作可能であり、放射線の照射により蓄積された電荷に基づく放射線画像を、複数の撮像モードのうちいずれか一つの撮像モードから切り替えられた撮像モードに基づいて取得することができる。駆動制御部１０２は、オフセット画像取得制御１０６の実行により、放射線の非照射時に予め取得したオフセット画像を記憶部１１０に記憶しておく。駆動制御部１０２は、切り替え前の撮像モードと、当該撮像モードの終了から切り替えられた撮像モードによる撮像開始までの待機時間との組み合わせに対応するオフセット画像を記憶部１１０から取得する。
【００２８】
画像処理部１０７のオフセット補正部１０８は、駆動制御部１０２により取得されたオフセット画像を用いて放射線画像のオフセット成分を補正する。オフセット補正部１０８は、撮像時に放射線検出部２００から取得された放射線画像１１１と、あらかじめ非撮像時（放射線の非照射時）に取得していたオフセット画像１１２との差分をとることによりオフセット補正を行い、補正後画像１１７を取得し、オフセット補正処理を実行した後、オフセット補正部１０８は、通信制御部１１３を通して、補正後画像１１７を制御装置４００に転送する。
【００２９】
尚、ここではオフセット補正処理について説明しているが、画像処理部１０７の機能構成として、例えば、欠陥画素の補正や、放射線検出部内のアンプのゲインばらつき等を補正するゲイン補正などの補正処理を実行可能な処理部を有してもよい。
【００３０】
また、これら補正処理は放射線撮像装置１００での実行に限定されるものではなく、例えば、取得した放射線画像１１１およびオフセット画像１１２を放射線撮像装置１００で補正せずに制御装置４００に転送し、制御装置４００内で補正処理を行ってもよい。また、オフセット補正処理に使用するオフセット画像は、例えば、複数枚取得したオフセット画像を使用し、平均化などによりノイズ成分の低減処理などを行った画像をオフセット画像として使用してもよい。
【００３１】
放射線撮像装置１００の制御部１０１は、放射線撮像システム（放射線撮像装置）の使用状態を監視する使用状態監視部１１４を有する。放射線撮像システムの使用状態としては、例えば、図４のような使用状態が存在する。図４は、放射線撮像装置の使用状態を例示する図であり、使用状態監視部１１４は、放射線撮像装置１００と制御装置４００との通信状態、もしくは放射線撮像装置の状態を示す情報から、放射線撮像システム（放射線撮像装置）の使用状態を判断する。使用状態監視部１１４は、放射線撮像装置の状態を示す情報に基づいて、放射線撮像装置の使用状態を判断し、駆動制御部１０２およびオフセット画像収集制御部１０９（収集制御部）は、使用状態監視部１１４の判断結果に基づいて、所定のタイミングでオフセット画像の取得（収集）を行う。
【００３２】
使用状態監視部１１４が判断した放射線撮像装置の使用状態に応じて、非撮像時の放射線検出部２００の駆動制御方法、およびオフセット画像の取得（収集）方法が切り替えられる。以下、図４を用いて撮像時の放射線撮像装置１００の動作を説明する。ここでは、放射線撮像装置１００の動作として、主にオフセット画像の取得（収集）に関する点に着目して説明する。
【００３３】
（非使用状態）
使用状態監視部１１４が放射線撮像システムの使用状態を判断する。例えば、放射線撮像装置１００のみが起動しており、制御装置４００が電源オフの状態である場合、使用状態監視部１１４はシステム非使用状態（使用状態Ａ）と判断する。この場合、使用状態監視部１１４は、オフセット画像収集制御部１０９および駆動制御部１０２に対してオフセット画像の取得（収集）を行わないようシステムの状態情報を設定する。使用状態Ａでは、例えば、夜間での非使用時など、放射線撮像装置１００側では暖気を維持するため電源をＯＮにしつつ、制御装置４００側の電源は未使用のためオフにするような状態が想定される。システム非使用状態（使用状態Ａ）では、オフセット画像の収集は行われない（ＯＦＦ）。
【００３４】
（一時使用停止状態）
放射線撮像システムの使用状態として、例えば、放射線撮像装置１００および制御装置４００がともに起動中であるが、操作者（オペレータ）が各装置の操作を行っていない状態（例えば、検査間の待機時間に相当する状態や操作者が一時的に離れている状態等）である場合、使用状態監視部１１４は、一時使用停止状態（使用状態Ｂ）と判断する。この場合、使用状態監視部１１４は、システムの一時使用停止状態として、オフセット画像の取得（収集）を定期的に行うようにオフセット画像収集制御部１０９にシステムの状態情報を設定する。
【００３５】
内部時計１１５（計時部）は、オフセット画像の取得（収集）を定期的に行うための時間情報を取得しており、使用状態Ｂでは、定期的に行うオフセット画像の取得タイミングになった場合に、オフセット画像収集制御部１０９の制御の下、駆動制御部１０２は、待機駆動制御１０４を解除して撮像準備駆動制御１０３を開始する。前述したように、待機駆動制御１０４から撮像準備駆動制御１０３に切り替えた直後はセンサアレイ２０４の電荷が安定しないため、一定時間待機した後、駆動制御部１０２は、オフセット画像取得制御１０６を行い、オフセット画像を取得する。一時使用停止状態（使用状態Ｂ）では、オフセット画像の収集は自動収集モードとなる（オフセット画像の自動収集）。
【００３６】
駆動制御部１０２は、オフセット画像取得制御１０６の実行によりオフセット画像の取得が完了した後、再度、待機駆動制御１０４に戻す。また、使用状態Ｂで、オフセット画像の取得タイミングになっていない場合には、駆動制御部１０２は待機駆動制御１０４を行う。使用状態Ｂでは、待機駆動制御１０４でＴＦＴの特性劣化を抑えつつ、定期的にオフセット画像の取得（収集）を行っておくことで、使用再開の際の待機時間を小さくできる。
【００３７】
（使用中状態）
使用状態監視部１１４が、放射線撮像システムの使用状態として、例えば、検査中または検査準備中である場合、使用中状態（使用状態Ｃ）と判断する。この場合、使用状態監視部１１４は、オフセット画像の取得（収集）を定期的に行うようにオフセット画像収集制御部１０９にシステムの状態情報を設定し、駆動制御部１０２は、放射線検出部２００の撮像準備駆動制御１０３を行う。
【００３８】
使用状態Ｃでは、定期的に行うオフセット画像の取得タイミングになった場合、オフセット画像収集制御部１０９の制御の下、駆動制御部１０２は、オフセット画像取得制御１０６を行い、オフセット画像を取得する。使用中状態（使用状態Ｃ）では、オフセット画像の収集は自動収集モードとなる（オフセット画像の自動収集）。また、オフセット画像の取得タイミングになっていない場合には、駆動制御部１０２は、そのまま撮像準備駆動制御１０３を継続する。
【００３９】
使用状態Ｄは、システム状態は使用状態Ｃと同様であるが、例えば、操作ＵＩ４０７より制御装置４００を通して外部から指示することによって手動でオフセット画像を取得する動作を行う状態である。使用中状態（使用状態Ｄ）では、オフセット画像の収集は操作ＵＩ４０７からの入力に基づく手動収集モードとなる（オフセット画像の手動収集）。
【００４０】
使用状態Ｄにおいて、駆動制御部１０２は、使用状態監視部１１４の判断結果に基づいて、操作ＵＩ４０７からの入力に基づく待機時間と、切り替え前の撮像モードとの組み合わせに対応するオフセット画像を取得する。オフセット画像の手動収集モードでは、駆動制御部１０２は、オフセット画像取得制御１０６を行い、切り替え前の撮像モード（前駆動モード）と、操作ＵＩ４０７からの入力に基づく時間（待機時間Ｔ）との組み合せに対応するオフセット画像を取得（収集）する。オフセット画像の手動収集モードでは、駆動制御部１０２は、あらかじめ非撮像時（放射線の非照射時）に取得していたオフセット画像を記憶部１１０から取得することが可能である。また、切り替えられた撮像モードによる放射線画像の撮像後、駆動制御部１０２は、放射線検出部２００から出力される画像（放射線が非照射の状態で蓄積された電荷に基づく画像）を、撮像後のオフセット画像として取得することが可能である。
【００４１】
使用状態Ｄでは、検査中、検査準備中などが想定されるため、即時に撮像に移れること、また、撮像において温度変動影響の少ない安定した画質が求められる。そのため、撮像準備駆動制御１０３でいつでも撮像に移れる状態を維持しつつ、温度変動等による画質への影響を抑えることができる。切り替え前の撮像モードを加味したオフセット画像を用いてオフセット補正を行うことにより、切り替え前の撮像モードの影響によって発生し得るアーチファクトの影響を低減することが可能になる。
【００４２】
次に図５Ａ、図５Ｂ、図６を参照して、本発明の実施形態に係るオフセット補正方法を説明する。図５Ａは、実施形態における撮像動作を例示的に説明する図であり、放射線検出部２００における切り替え前の撮像モード（前駆動モード）から切り替えられた撮像モードとして、静止画の撮像を行う場合を例として示している。
【００４３】
図５Ａにおいて、パルス波形は、駆動制御部１０２が制御する画像読出し駆動信号を示す。操作ＵＩ４０７に設けられた第１スイッチ（１段目スイッチ）が押下（ＯＮ）されると、駆動制御部１０２は撮像モードの切り替えを行う。第１スイッチ（１段目スイッチ）が押下される前に駆動していた撮像モードは、第１スイッチ（１段目スイッチ）の押下により終了となり、切り替え後の撮像モード（例えば、静止画モード）への切り替えが行われる。第１スイッチ（１段目スイッチ）の押下により駆動制御部１０２は撮像準備駆動制御１０３を行う。第１スイッチ（１段目スイッチ）の押下後、操作ＵＩ４０７に設けられた第２スイッチ（２段目スイッチ）が押下（ＯＮ）されると、駆動制御部１０２は、撮像準備駆動制御１０３を終了させ、放射線画像取得制御１０５により静止画の撮像を開始する。
【００４４】
駆動制御部１０２は、操作ＵＩ４０７からの第１の入力に基づいて取得される撮像モードの切り替えタイミング（前駆動モードの終了）と、操作ＵＩ４０７からの第２の入力に基づいて取得される切り替えられた撮像モードによる撮像開始のタイミングと、に基づいて待機時間を取得する。第１スイッチ（１段目スイッチ）の押下タイミング（第１の入力）と、第２スイッチ（２段目スイッチ）の押下タイミング（第２の入力）との間の時間は、ユーザの操作によりばらつく時間である。第１スイッチ（１段目スイッチ）の押下タイミングと、第２スイッチ（２段目スイッチ）の押下タイミングとの間の時間を、操作ＵＩ４０７（操作部）からの入力に基づく待機時間（Ｔ）とする。
【００４５】
図６は記憶部１１０に記憶されているオフセットテーブル１１８の構成を例示する図である。図６に示す記憶部１１０のオフセットテーブル１１８には、切り替え前の撮像モード（前駆動モードの種別）と、待機時間（Ｔ）との組み合せと、この組み合せに対応するオフセット画像の識別情報とが対応付けられている。ここで、オフセット画像の識別情報は、「切り替え前の撮像モード（前駆動モードの種別）−待機時間」で表記されている。図６に示すオフセットテーブル１１８において、切り替え前の撮像モード（前駆動モードの種別）と待機時間の組み合わせは実際の使用状況に応じてユーザが任意に設定することが可能である。
【００４６】
また、記憶部１１０には、オフセット画像の識別情報に対応するオフセット画像１１２が記憶されている。駆動制御部１０２は、オフセットテーブルの識別情報に基づいて、切り替え前の撮像モード（前駆動モード）と、待機時間（Ｔ）との組み合せに対応するオフセット画像１１２を取得する。
【００４７】
待機時間（Ｔ）はユーザの操作によりばらつく時間であり、駆動制御部１０２は、第１の入力および第２の入力に基づいて取得される異なる待機時間（Ｔｉ）に対応して、異なるオフセット画像を取得する。例えば、切り替え前の撮像モード（前駆動モード）の種別が「１」であり、待機時間Ｔ＝１（秒）である場合、オフセット画像の識別情報は「１−１」となり、識別情報「1−１」に対応するオフセット画像１１２が記憶部１１０から取得される。同様に、切り替え前の撮像モード（前駆動モード）の種別が「１」であり、待機時間Ｔ＝５（秒）である場合、オフセット画像の識別情報は「１−５」となり、識別情報「1−５」に対応するオフセット画像１１２が記憶部１１０から取得される。
【００４８】
また、駆動制御部１０２は、駆動制御部１０２は、切り替え前の異なる撮像モード（異なる前駆動モードの種別）に対応して、異なるオフセット画像を取得する。
【００４９】
例えば、待機時間Ｔ＝３（秒）であり、切り替え前の撮像モード（前駆動モード）の種別が「１」である場合、オフセット画像の識別情報は「１−３」となり、識別情報「1−３」に対応するオフセット画像１１２が記憶部１１０から取得される。同様に、切り替え前の撮像モード（前駆動モード）の種別が「１」であり、待機時間Ｔ＝３（秒）であり、切り替え前の撮像モード（前駆動モード）の種別が「４」である場合、オフセット画像の識別情報は「４−３」となり、識別情報「４−３」に対応するオフセット画像１１２が記憶部１１０から取得される。オフセットテーブル１１８には、切り替え前の撮像モード（前駆動モード）の種別として、ビットレートの異なる複数の撮像モード（前駆動モード）の種別を示す情報（１、２、・・・・Ｎ）が記憶されている。また、待機時間として、Ｔ＝１〜５（秒）が例示的に示されているが、本発明の趣旨は、この例に限定されるものでなく、任意の時間に対応する待機時間（Ｔｉ）の情報がオフセットテーブル１１８に記憶されている。
【００５０】
駆動制御部１０２は、待機時間（Ｔ）における撮像準備駆動制御１０３により、放射線検出部２００に対して撮像時における電圧を印加しつつ、周期的に電荷の読み出しを行い、放射線検出部２００の各画素に蓄積される暗電荷のリセットを行う。
【００５１】
図５Ａに示す静止画の撮像において、駆動制御部１０２は、切り替え前の撮像モード（前駆動モード）の種別と、待機時間（Ｔ）との組み合わせに対応するオフセット画像１１２を記憶部１１０から取得し、オフセット補正部１０８は、取得されたオフセット画像１１２を用いて放射線画像１１１のオフセット成分を補正する。この構成によれば、切り替え前の撮像モードを加味したオフセット画像を用いてオフセット補正を行うことにより、切り替え前の撮像モードの影響によって発生し得るアーチファクトの影響を低減することが可能になる。
【００５２】
図５Ｂは、図５Ａにおいて静止画の撮像を行った後に、静止画の撮像と同様の条件で、オフセット画像を取得する例を示す図である。切り替えられた撮像モード（図５Ａの例では静止画モード）による放射線画像の撮像後、放射線検出部２００は、放射線が非照射の状態で蓄積された電荷に基づく画像を出力し、駆動制御部１０２は、放射線検出部２００から出力される画像を、撮像後のオフセット画像として取得することが可能である。尚、撮像後のオフセット画像を取得する場合、図５Ｂの構成に限定されず、駆動制御部１０２は、放射線画像の撮像後、所定のパルス数を読み捨てた後にオフセット画像を取得してもよい。オフセット補正部１０８は、切り替え前の撮像モードと待機時間との組み合わせに対応するオフセット画像と、撮像後のオフセット画像と、を用いて放射線画像のオフセット成分を補正することが可能である。切り替え前の撮像モードと待機時間との組み合わせに対応するオフセット画像は、図５Ａおよび図６で説明したようにオフセットテーブル１１８の参照により、記憶部１１０から取得される。オフセット補正において、切り替え前の撮像モードと待機時間との組み合わせに対応するオフセット画像と、撮像後のオフセット画像との両方のオフセット画像を用いることにより、より高精度に放射線画像におけるオフセット成分を補正することが可能になる。
【００５３】
本実施形態の構成によれば、切り替え前の撮像モードの影響によって発生し得るアーチファクトの影響を低減することが可能になる。
【００５４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５５】
１００：放射線撮像装置、１０１：制御部、１０２：駆動制御部、
１０３：撮像準備駆動制御、１０４：待機駆動制御、
１０５：放射線画像取得制御、１０６：オフセット画像取得制御、
１０７：画像処理部、１０８：オフセット補正部、
１１０：記憶部、１１３：通信制御部、１１４：使用状態監視部、
２００：放射線検出部、３００：放射線発生装置、
３０１：放射線源、４００：制御装置、５００：ネットワーク
【図１】
2018202043.tif 000003
【図２】
2018202043.tif 000004
【図３】
2018202043.tif 000005
【図４】
2018202043.tif 000006
【図５Ａ】
2018202043.tif 000007
【図５Ｂ】
2018202043.tif 000008
【図６】
2018202043.tif 000009